(57)【要約】【課題】  ホースが連結された状態でより安定した姿勢を維持することのできる浮遊物回収装置を提供することである。【解決手段】  吸込み口２５ａの形成された吸込み本体部２３と、これを挟むように配置され、吸込み本体部２３に結合された第１フロート体６１及び第２フロート体６２を有し、第１フロート体６１及び第２フロート体６２の浮力によって液中に吸込み本体部２３が維持された状態で吸込み口２５ａから液面部分に浮遊する物を吸い込むようにした吸込み浮き具６０と、吸い込み本体部２５ａに連結され、第１フロート体６１側に延びるように設置され、吸込み口２５ａに吸引力を作用させるホース１２とを備え、第１フロート体６１及び第２フロート体６２の配列方向において、吸込み口２５ａの縁辺は第２フロート体６２側から第１フロート体６１側に向けて上がるように傾斜するように形成されている。【選択図】  図６
2015211972.tif 000002
【特許請求の範囲】
【請求項１】
吸込み口の形成された吸込み本体部と、該吸込み本体部を挟むように配置され、該吸込み本体部に結合された第１フロート体及び第２フロート体とを有し、前記第１フロート体及び前記第２フロート体の浮力によって液中に前記吸込み本体部が維持された状態で前記吸込み口から液面部分に浮遊する物を吸い込むようにした吸込み浮き具と、
前記吸込み本体部に連結され、第１フロート体側に延びるように設置されるとともに、前記吸込み口に吸引力を作用させるためのホースと、を備え、
前記第１フロート体及び前記第２フロート体の配列方向において、前記吸込み口の縁辺は前記第２フロート体側から前記第１フロート体側に向けて上がるように傾斜するように形成されていることを特徴とする浮遊物回収装置。
【請求項２】
前記吸込み口の縁辺の傾斜角度は、前記浮遊物回収装置を前記液に投入したとき、水平となる角度であることを特徴とする請求項１記載の浮遊物回収装置。
【請求項３】
前記第１フロート体の体積と前記第２フロート体の体積とは同じ請求項１または２記載の浮遊物回収装置。
【請求項４】
前記吸込み本体部は、前記吸込み口を囲んで広がる吸込み受け部を有する請求項１乃至は３いずれか記載の浮遊物回収装置。
【発明の詳細な説明】
【技術分野】
【０００１】
本発明は、液体に浮いて該液体の表面に浮遊する油、ゴミ、異物等の物を吸込み回収する吸込み浮き具及びそれを備えた浮遊物回収装置に関する。
【背景技術】
【０００２】
本発明は、液体に浮いて該液体の表面に浮遊する油、ゴミ、異物等の物を吸込み回収する吸込み浮き具及びそれを備えた浮遊物回収装置に関する。
【０００３】
浮上油回収装置は、上述したような吸込み浮き具９０に加えて、ホース１２及び吸引ポンプ１１を有している。ホース１２の一端部は接続具９４によって吸込み浮き具９０の吸引部材９３に接続され、ホース１２の他端部が吸引ポンプ１１に接続される。そして、吸引ポンプ１１を動作させることにより、吸込み浮き具９０における吸引部材９３の吸込み口から処理液Ｌの液面に浮遊している油やゴミを含んだ浮上油Ｄが吸い込まれ、その浮上油Ｄが吸引部材９３、ホース１２及び吸引ポンプ１１を介して回収タンク（図示略）に回収される。
【先行技術文献】
【特許文献】
【０００４】
【特許文献１】登録実用新案公報第３１５３２７２号
【発明の概要】
【発明が解決しようとする課題】
【０００５】
しかしながら、上述したような従来の浮上油回収装置における吸込み浮き具９０は、直線状に配置される一対（２つ）のフロート９１、９２の浮力によって、処理液Ｌに浮くものであるので、吸引部材９３から引き延ばされるホース１２の重さによって姿勢が影響され易い。フロート９１、９２の配列方向にホース１２が延びた状態、例えば、図８に示すように、ホース１２が一方のフロート９１側に延びて当該フロート９１の下方を通る状態では、ホース１２の重さに抗するだけの浮力を発生させるためにフロート９１がより大きく沈んで吸込み浮き具９０が一方のフロート９１側に傾いてしまう。このように吸込み浮き具９０が一方のフロート９１側に傾いてしまうと、処理液Ｌの表面に浮遊する浮上油Ｄを吸引部材９３に形成された吸込み口の一方向からのみ吸い込むことになり、当該浮上油Ｄを吸い込み口から効率的に吸込むことができなくなる可能性がある。
【０００６】
このような浮上油回収装置の吸込み浮き具９０は、安定性を考慮して３つのフロートを備えた構造のものもあるが、処理液が貯留されるタンクの大きさによってはその３つのフロートを有する吸込み浮き具を浮かせるだけのスペースがとれないことがある。このような場合、２つのフロートを有する吸込み浮き具は、省スペースとなって、小さなタンクにも適用することが可能となる。しかし、２つのフロートでは、前述したようにホース１２を接続した際の安定性が問題となる。
【０００７】
本発明はこのような事情に鑑みてなされたもので、ホースが連結された状態でより安定した姿勢を維持することのできる吸込み浮き具及びそれを備えた浮遊物回収装置を提供するものである。
【課題を解決するための手段】
【０００８】
本発明に係る吸込み浮き具は、上方に向けて開口する吸込み口の形成された吸込み本体部と、該吸込み本体部を挟むように配置され、該吸込み本体部に結合された第１フロート体及び第２フロート体とを有し、前記第１フロート体及び前記第２フロート体の浮力によって液中に前記吸込み本体部が維持された状態で前記吸込み口から液面部分に浮遊する物を吸い込むようにした吸込み浮き具であって、前記第１フロート体の体積は、前記第２フロート体の体積より大きい構成となる。
【０００９】
このような構成により、吸込み本体部を挟んで配置される第１フロート体及び第２フロート体のうち体積のより大きい第１フロート体の浮力が第２フロート体の浮力より大きくなり得るので、吸込み本体部に連結されるホースを第１フロート体側に延ばせば、第１フロート体にて発生するより大きい浮力が該ホースの重さに抗するように前記吸込み本体部に作用するようになる。
【００１０】
前記第１フロート体及び前記第２フロート体のそれぞれを単一のフロートで構成とすることも、前記第２フロート体が一または複数のフロートからなるとともに、前記第１フロート体が、前記第２のフロート体が構成するフロートの数より多い数のフロートからなり、前記第１フロート体を構成する全フロートの総体積が、前記第２フロート体を構成する全フロートの総体積より大きい構成とすることも可能である。
【００１１】
前記第１フロート体の一または複数のフロートと、前記第２フロート体の一または複数のフロートと、前記本体部とを略直線上に配置することができる。
【００１２】
本発明に係る更に他の吸込み浮き具は、上方に向けて開口する吸込み口の形成された吸込み本体部と、該吸込み本体部を挟むように配置され、該本体部に結合された第１フロート体及び第２フロート体とを有し、前記第１フロート体及び前記第２フロート体の浮力によって液中に前記本体部が維持された状態で前記吸込み口から液面部分に浮遊する物を吸い込むようにした吸込み浮き具であって、前記第１フロート体及び前記第２フロート体の配列方向において、前記吸込み口の縁辺は前記第２フロート体側から前記第１フロート体側に向けて上がるように傾斜するように形成された構成となる。
【００１３】
このような構成により、吸込み本体部に形成される吸込み口の縁辺が第２フロート体側から第１フロート体側に向けて上がるように傾斜しているので、吸込み本体部に連結されるホースを第１フロート体側に延ばして当該ホースの重さで当該吸込み浮き具が第１フロート体側に傾いたとしても、その傾きと前記吸込み口の縁辺の傾斜が相殺される関係になるので、吸込み口の縁辺の液面に対する傾きをより小さくすることができる。
【００１４】
また、本発明に係る浮遊物回収装置は、上述したいずれかの吸込み浮き具と、前記吸込み本体部に連結され、第１フロート側に延びるように配置されたホースと、該ホースに接続される吸引ポンプとを有する構成となる。
【発明の効果】
【００１５】
本発明に係る吸込み浮き具によれば、吸込み本体部を挟んで配置される第１フロート体及び第２フロート体のうちの第１フロート体の側に延びるようにホースが前記吸込み本体部に連結された状態でより安定した姿勢を維持することができるようになる。
【００１６】
そのような吸込み浮き具を有する浮遊物回収装置によれば、液中でより安定した姿勢が維持される吸込み浮き具を通して液面に浮遊する物をどの方向からも回収することができるようになり、その結果、液面に浮遊する物の効率的な回収が可能になる。
【図面の簡単な説明】
【００１７】
【図１】本発明の第１の実施の形態に係る吸込み浮き具を示す斜視図である。
【図２】図１に示す吸込み浮き具が処理液に浮いている状態を示す側面図である。
【図３】本発明の第２の実施の形態に係る吸込み浮き具を示す側面図である。
【図４】本発明の第２の実施の形態に係る吸込み浮き具を示す平面図である。
【図５】複数のフロートの他の配列例を示す平面図である。
【図６】本発明の第３の実施の形態に係る吸込み浮き具を示す側面図である。
【図７】図６に示す吸込み浮き具が処理液に浮いている状態を示す側面図である。
【図８】従来の吸込み浮き具を示す側面図である。
【発明を実施するための形態】
【００１８】
以下、本発明の実施の形態について図面を用いて説明する。
【００１９】
本発明の第１の実施の形態に係る吸込み浮き具２０は、図１及び図２に示すように構成される。
【００２０】
図１及び図２において、吸込み浮き具２０は、吸込み本体部２３が直線状の支持プレート２７の中央部に固定され、支持プレート２７の一方の端部に第１フロート２１（第１フロート体）が留め具２７１によって固定されるとともに、支持プレート２７の他方の端部に第２フロート２２（第２フロート体）が留め具２７２によって固定された構造となっている。吸込み本体部２３は、吸込み部２５及びそれに連結する略Ｌ字状の吸込み管２４を有し、吸込み管２４が支持プレート２７を貫通した状態でその支持プレート２７に固定されている。吸込み部２５には、特に図２に示すように、上方に向けて開放する吸込み口２５ａが形成され、その吸込み口２５ａを囲んで環状に吸込み受け部２５ｂが広がっている。また、第１フロート２１と第２フロート２２との間を渡るようにカバープレート２８が設けられ、カバープレート２８の一端部が第１フロート２１の上端部に留め具２８１によって固定されるとともに、カバープレート２８の他端部が第２フロート２２の上端部に留め具２８２によって固定されている。
【００２１】
第１フロート２１及び第２フロート２２は、樹脂等で形成され、空気の納められた中空の構造となっている。吸込み本体部２３を挟んで配置された第１フロート２１と第２フロート２２とにおいて、第１フロート２１と吸込み本体部２３（吸込み口２５ａ）との間の距離と、第２フロート２２と吸込み本体部２３（吸込み口２５ａ）との間の距離は略等しい。また、第１フロート２１の体積（中空の容積）は、第２フロート２２の体積（中空の容積）よりも大きい。
【００２２】
上述したような構造の吸込み浮き具２０を備える浮遊物回収装置は、従来のもの（図８参照）と同様に、ホース１２及び吸引ポンプ１１（例えば、ダイヤフラムポンプ）を有している。そして、ホース１２は、その一端部が接続具２６によって吸込み管２４に接続され、第１フロート２１側に延びてその第１フロート２１の下方を通っている。このように延びたホース１２の他端部は従来のものと同様に吸引ポンプ１１に接続されている。
【００２３】
貯液槽に貯められた加工機械等での使用済み処理液Ｌ（例えば、クーラント液、冷却油）に投入された吸込み浮き具２０は、図２に示すように、一対のフロート２１、２２の浮力によって処理液Ｌに浮いて吸込み本体部２３が処理液Ｌ中に維持された状態となる。この状態において、吸込み本体部２３の一方側に配置される第１フロート２１の体積（中空の容積）が吸込み本体部２３の他方側に第１フロート２１と対称的に配置される第２フロート２２の体積（中空の容積）より大きいので、第１フロート２１側にホース１２の重さが作用しても、第１フロート２１にて発生する、より大きい浮力がホース１２の重さに抗するように吸込み本体部２３に作用する。その結果、図２に示すように、ホース１２の重さによる吸込み本体部２３の傾きが緩和され、吸込み部２５（吸込み口２５ａ、吸込み受け部２５ｂ）が処理液Ｌの液面より僅かに下がった位置で、略水平に維持され得るようになる。
【００２４】
このように、本発明の第１の実施の形態に係る吸込み浮き具２０によれば、ホース１２が延びる側の第１フロート２１の体積を第２のフロート２２の体積より大きくして、第１フロート２１によって第２フロート２２の浮力より大きい浮力が発生し得るようにしているので、第１フロート２１の側に延びるようにホース１２が吸込み本体部２３（吸込み管２４）に連結された状態でより安定した姿勢を維持することができるようになる。
【００２５】
上述したような状態で処理液Ｌに浮く吸込み浮き具２０を備えた浮遊物回収装置では、吸引ポンプ１１（図１参照）を動作させることにより、処理液Ｌの液面に浮遊するスラッジ等のゴミを含む浮上油Ｄが、吸込み本体部２３の吸込み受け部２５ｂの表面に沿いつつ吸込み口２５ａ（図１参照）から吸い込まれ、その浮上油Ｄが吸込み管２４、ホース１２及び吸引ポンプ１１を介して回収タンク（図示略）に回収される。
【００２６】
この浮遊物回収装置によれば、上述したように、ホース１２が吸込み本体部２３（吸込み管２４）に接続された状態で吸込み浮き具２０の姿勢がより安定的に維持され、吸込み部２５に形成された吸込み口２５ａの処理液Ｌの液面に対する傾きが比較的小さい状態（略水平）に維持されるようになるので、その吸込み口２５ａから処理液Ｌの表面に浮遊する浮上油Ｄをどの方向からも回収することができ、浮上油Ｄの効率的な吸込み回収が可能になる。
【００２７】
なお、上述した浮遊物回収装置における吸引ポンプ１１としてダイヤフラムポンプが使用される場合、ダイヤフラムの振動によって吸引口２５ａから吸引された浮上油Ｄが吸引口２５ａから吐き出される場合があるが、両端部が第１フロート２１及び第２フロート２２の上端部に固定されて吸引口２５ａの上方に配置されるカバープレート２８によってその吐き出された浮上油Ｄの飛散を防止することができる。
【００２８】
本発明の第２の実施の形態に係る吸込み浮き具３０は、図３及び図４に示すように構成される。図３は、吸込み浮き具３０の側面図であり、図４は、吸込み浮き具３０の平面図である。なお、図３及び図４において、図２に示される部分と同じ部分には、同じ参照番号が付されている。
【００２９】
図３及び図４に示す吸込み浮き具３０では、吸込み管２４及び吸込み部２５を有する吸込み本体部２３が支持プレート３７の所定の位置に固定されている。支持プレート３７の吸込み本体部２３の一方側に、第１フロート体３１を構成する２つのフロート３１ａ、３１ｂが並んで留め具３７１ａ、３７１ｂによって固定されている。また、吸込み本体部２３の他方側の支持プレート３７の端部には第２フロート体を構成する単一のフロート（第２フロートという）３２が留め具３７２によって固定されている。フロート３１ａ、３１ｂ（第１フロート体３１）、吸込み本体部２３の吸込み部２５及び第２フロート３２は、支持プレート３７上に略直線状に配置されている（図４参照）。
【００３０】
第１フロート体３１を構成する各フロート３１ａ、３１ｂ及び第２フロート３２は、第１の実施の形態と同様に樹脂等で形成されており、各フロート３１ａ、３１ｂ（第１フロート体３１）の体積（中空の容積）は、第２フロート３２の体積（中空）と同じである。従って、第１フロート体３１を構成する２つのフロート３１ａ、３１ｂの総体積は、第２フロート３２（第２フロート体を構成する全フロート）の体積より大きい。なお、第１フロート体３１を構成する２つのフロート３１ａ、３１ｂの総体積が、第２フロート３２（第２フロート体）の体積より大きいものであれば、第１フロート体３１を構成する各フロート３１ａ、３２ｂ及び第２フロート３２は、すべてが同じ体積でなくてもよい。吸込み本体部２３の吸込み管２４に接続具２６によって接続されるホース１２は、第１の実施の形態の場合（図２参照）と同様に、第１フロート体３１側に延びてフロート３１ａ、３１ｂの下方を通っている。
【００３１】
なお、この吸込み浮き具３０においても、第１の実施の形態の場合（図１、図２参照）と同様に、支持プレート３７の一端部に固定されたフロート３１ａ（第１フロート体３１）と第２フロート３２（第２フロート体）との間を渡るようにカバープレート３８が設けられ、このカバープレート３８は、フロート３１ａの上端部に留め具３８１ａによって、フロート３１ｂの上端部に留め具３８１ｂによって、更に、第２フロート３２の上端部に留め具３８２によって固定されている。
【００３２】
このような構造の吸込み浮き具３０は、図３に示すように、３つのフロート３１ａ、３１ｂ、３２の浮力によって処理液Ｌに浮いて吸込み本体部２３が処理液Ｌ中に維持された状態となる。この状態において、吸込み本体部２３の一方側に配置される第１フロート体３１を構成する２つのフロート３１ａ、３１ｂの全体積（中空の容積の総量）が吸込み本体部２３の他方側に配置される第２フロート３２の体積（中空の容積）より大きいので、第１フロート体３１（フロート３１ａ、３１ｂ）側にホース１２の重さが作用しても、第１フロート体３１を構成する２つのフロート３１ａ、３１ｂにて発生する、第２フロート３２の有する浮力より大きい浮力がホース１２の重さに抗するように吸込み本体部２３に作用する。このため、図３に示すように、ホース１２の重さによる吸込み本体部２３の傾きが緩和され、吸込み部２５（吸込み口２５ａ、吸込み受け部２５ｂ）が処理液Ｌの液面より僅かに下がった位置で、略水平に維持され得るようになる。
【００３３】
このように、本発明の第２の実施の形態に係る吸込み浮き具３０によれば、第１の実施の形態の場合（図１、図２参照）と同様に、ホース１２が延びる側の第１フロート体３１の体積（２つのフロート３１ａ、３１ｂの総体積）を第２フロート３２（第２フロート体）の総体積より大きくして第１フロート体３１によって第２フロート３２（第２フロート体）の浮力より大きい浮力が発生し得るようにしているので、第１フロート体３１の側に延びるようにホース１２が吸込み本体部２３（吸込み管２４）に連結された状態でより安定した姿勢を維持することができるようになる。
【００３４】
このように処理液Ｌに安定した姿勢で浮く上述した吸込み浮き具３０とともに吸引ポンプ１１及びホース１２を有する浮遊物回収装置によれば、第１の実施の形態の場合と同様に、その吸込み浮き具３０における吸込み本体部２３（吸込み部２５）の吸込み口２５ａから処理液Ｌの表面に浮遊する浮上油Ｄをどの方向からも回収することができ、浮上液Ｄの効率手的な吸込み回収が可能となる。
【００３５】
なお、前述した吸込み浮き具３０では、第１フロート体３１が２つのフロート３１ａ、３１ｂで構成され、第２フロート体が単一のフロート３２で構成されていたが、これに限らず、第２フロート体（３２）も複数のフロートで構成することもできる。その場合、第１フロート体３１を構成する全フロートの総体積が、第２フロート体（３２）を構成する全フロートの総体積より大きくなるように、それらフロートの数及び各フロートの体積（大きさ）が設定される。第１フロート体３１を構成する全フロートの総体積が第２フロート体（３２）を構成する全フロートの総体積より大きければ、第１フロート３１を構成するフロートの数が第２フロート体（３２）を構成するフロートの数より少なくてもよい。
【００３６】
また、第１フロート体３１を構成する２つのフロート３１ａ、３１ｂ、吸込み本体部２３の吸込み部２５、及び第２フロート３２が、支持プレート３７とカバープレート３８に挟まれるように略直線状に配置されているが（図４参照）、これら複数のフロート及び吸込み部２５の配列は、吸込み浮き具３０全体の姿勢が処理液Ｌ中で浮上油Ｄの回収に支障をきたさない程度の姿勢が維持できる範囲で、例えば、図５に示すように、直線からずれるものであってもよい。なお、フロート３１ａ、３１ｂ（第１フロート体３１）、吸込み本体部２３の吸込み部２５及び第２フロート３２は、その各フロートの位置によって吸込み浮き具３０自体が横転することなく、吸込み部２５から浮上油を回収できる姿勢を保てる範囲の略一定の方向に配置されていればよく、好ましくは直線状に配置される。
【００３７】
本発明の第３の実施の形態に係る吸込み浮き具６０は、図６に示すように構成される。なお、図６において、図２に示す部分と同じ部分には同じ参照番号が付されている。
【００３８】
図６に示す吸込み浮き具６０では、第１の実施の形態の場合（図２参照）と同様に、支持プレート２７の中央に吸込み本体部２３が固定され、支持プレート２７の一端部に樹脂等により形成された第１フロート６１（第１フロート体）が留め具２７１で固定され、支持プレート２７の他端部に樹脂等に形成された第２フロート６２（第２フロート体）が留め具２７２で固定されている。第１フロート６１の体積（中空の容積）と第２フロート６２の体積（中空の容積）とは同じである。このような構造により、ホース１２を吸込み本体部２３（吸込み管２４）に接続しない状態で、この吸込み浮き具６０は、第１フロート６１側と第２フロート６２側とが略バランスされた状態にある。
【００３９】
支持プレート２７の中央に固定される吸込み本体部２３の吸込み部２５は、第２フロート６２側から第１フロート６１側に向けて上がるように、所定角度αにて傾斜している。その結果、吸込み部２５に形成された吸込み口２５ａ（図１参照）の縁辺もまた第２フロート６２側から第１フロート６１側に向けて上がるように傾斜している。
【００４０】
なお、前述した各実施の形態の場合と同様に、ホース１２の一端部を接続具２６によって吸込み本体部２３の吸込み管２４に接続するとともに、そのホース１２の他端部を吸引ポンプ１１に接続することによって浮遊物回収装置が構成される。
【００４１】
貯液槽に貯められた処理液Ｌに前述したような構造の吸込み浮き具６０が投入されると、その吸込み浮き具６０は、図７に示すように、一対のフロート６１、６２の浮力によって処理液Ｌに浮いて吸込み本体部２３が処理液Ｌ中に維持された状態となる。この状態で、第１フロート６１の体積と第２フロート６２の体積が同じなので、図７に示すように、第１フロート６１側に延びたホース１２の重さに抗するための浮力を発生するために第１フロート６１が処理液Ｌ中により大きく沈み込む。その結果、吸込み浮き具６０は、全体的に、第２フロート６２側から第１フロート６１側に向けて下がるように傾斜する。この状態で、吸込み本体部２３の吸込み部２５が、吸込み浮き具６０全体の傾斜を相殺するように、第２フロート６２側から第１フロート６１側に向けて上がるように傾斜しているので、吸込み部２５（吸込み口２５ａの縁辺）の処理液Ｌの液面に対する傾きがより小さくなって、例えば、図７に示すように、吸込み部２５の吸込み受け部２５ｂとともに吸込み口２５ａの縁辺が略水平に維持されるようになる。
【００４２】
このように、本発明の第３の実施の形態に係る吸込み浮き具６０によれば、吸込み本体部２３に形成される吸込み部２５（吸込み口２５ａの縁辺）が第２フロート６２側から第１フロート６１側に向けて上がるように傾斜しているので、吸込み本体部２３に連結されるホース１２を第１フロート６１側に延ばして当該ホース１２の重さで当該吸込み浮き具６０が第１フロート６１側に傾いたとしても、その傾きと前記吸込み部２５の傾斜が相殺される関係になるので、吸込み部２５（吸込み口２５ａの縁辺）の液面に対する傾きをより小さくすること、例えば、吸込み部２５を略水平に維持することができる。
【００４３】
このようにホース１２が接続された状態で処理液Ｌ中において吸込み部２５が液面に対して適正に配される姿勢が安定的に維持される上述した吸込み浮き具６０を有する浮遊物回収装置（吸引ポンプ１１及びホース１２を含む）によれば、前述した各実施の形態の場合と同様に、吸込み本体部２３（吸込み部２５）の吸込み口２５ａから処理液Ｌの表面に浮遊する浮上油Ｄをどの方向からも回収することができ、浮上油Ｄの効率的な吸込み回収が可能となる。
【００４４】
なお、前述した吸込み浮き具６０では、第１フロート６１の体積と第２フロート６２の体積とが同じであったが、これに限定されない。第１フロート６１の体積は、第２フロート６２の体積と異なっていてもよい。この場合、ホース１２を接続した状態での吸込み浮き具６０の傾きを相殺する関係にて吸込み部２５（吸込み口２５ａの縁辺）を傾ければよい。
【符号の説明】
【００４５】
１０  貯留槽
１１  吸引ポンプ
１２  ホース
２０  ３０  ６０  吸込み浮き具
２１  ６１  第１フロート（第１フロート体）
３１  第１フロート体
３１ａ、３１ｂ  フロート
２２  ３２  ６２  第２フロート（第２フロート体）
２３  吸込み本体部
２４  吸込み管
２５  吸込み部
２５ａ  吸込み口
２５ｂ  吸込み受け部
２７  ３７  支持プレート
２８  ３８  カバープレート
【図１】
2015211972.tif 000003
【図２】
2015211972.tif 000004
【図３】
2015211972.tif 000005
【図４】
2015211972.tif 000006
【図５】
2015211972.tif 000007
【図６】
2015211972.tif 000008
【図７】
2015211972.tif 000009
【図８】
2015211972.tif 000010